(57)【要約】専用の回線などを用いた大がかりな測定システムを用いることなく、測定者の管理する測定機器による測定結果情報を、簡易、低コストにて、蓄積し、逐次に更新して一般に公開することのできる情報表示方法及びサービス提供サーバを提供する。測定値情報を公衆回線に接続されたサービス提供サーバに蓄積し、蓄積した測定値情報に基づき、測定機器による測定結果を示す測定結果情報を、公衆回線に接続された閲覧者の端末機器において表示する情報表示方法であって、サービス提供サーバが測定値情報を受信するステップと；サービス提供サーバが測定値情報を経時的に記録するステップと；サービス提供サーバが表示要求情報を受信するステップであって、該表示要求情報は、記録された測定値情報に基づき測定結果情報を閲覧者の端末機器において表示するための表示情報を送信することを要求するものであるステップと；サービス提供サーバが表示要求情報に応じて表示情報を送信するステップと；を有することを特徴とする情報表示方法を提供する。
2010123044.tif 000002
【特許請求の範囲】
【請求項１】
測定者が管理する測定機器の出力に基づく測定値情報を、公衆回線に接続されたサービス提供サーバに蓄積し、前記サービス提供サーバに蓄積した前記測定値情報に基づき、前記測定機器による測定結果を示す測定結果情報を、前記公衆回線に接続された閲覧者の端末機器において表示する情報表示方法であって、
前記サービス提供サーバが、前記公衆回線を通じて前記測定値情報を受信するステップであって、前記測定値情報は、前記測定機器に接続された前記測定者が管理する変換器により前記測定機器の出力が所定の通信プロトコルによって通信できるように変換されて、前記公衆回線を通じて定期的に送信されたものであるステップと、
前記サービス提供サーバが、受信した前記測定値情報を経時的に記録するステップと、
前記サービス提供サーバが、前記公衆回線を通じて表示要求情報を受信するステップであって、前記表示要求情報は、記録された最新の前記測定値情報及び／又は過去の前記測定値情報に基づき、前記測定結果情報を前記閲覧者の端末機器において表示するための表示情報を送信することを要求するものであるステップと、
前記サービス提供サーバが、前記表示要求情報に応じて、前記表示情報を前記公衆回線を通じて送信するステップと、
を有することを特徴とする情報表示方法。
【請求項２】
前記サービス提供サーバは、前記表示要求情報を受信するステップにおいて、前記測定者が前記測定結果情報を公開するための公開画面に係る公開画面情報を格納した前記公衆回線に接続された情報公開サーバから、前記公開画面情報が前記閲覧者の端末機器に前記公衆回線を通じて送信されることによって、前記表示要求情報を受信することを特徴とする請求項１に記載の情報表示方法。
【請求項３】
前記サービス提供サーバは、前記表示情報を送信するステップにおいて、前記公開画面情報が送信された前記閲覧者の端末機器に、前記表示情報を送信することを特徴とする請求項２に記載の情報表示方法。
【請求項４】
前記サービス提供サーバが、前記測定者の端末機器から前記公衆回線を通じて受信した要求に応じて、前記測定者が前記公開画面情報と関係付けて前記情報公開サーバに格納する表示要求発生情報を生成するステップであって、前記表示要求発生情報は、前記公開画面情報が前記閲覧者の端末機器に送信されることによって、前記表示要求情報が前記サービス提供サーバに送信されて、前記サービス提供サーバが前記表示情報を前記閲覧者の端末機器に送信することを可能とするものであるステップと、
前記サービス提供サーバが、前記表示要求発生情報を、前記公衆回線に接続された前記測定者の端末機器に前記公衆回線を通じて送信するステップと、
を更に有することを特徴とする請求項３に記載の情報表示方法。
【請求項５】
前記サービス提供サーバは、前記表示情報を送信するステップにおいて、少なくとも前記最新の測定値情報を含む前記測定値情報に基づく最新の前記測定結果情報及び／又は前記過去の測定値情報に基づく過去の前記測定結果情報を表示するイメージデータを生成し、生成した前記イメージデータを表示するための前記表示情報を送信することを特徴とする請求項１〜４のいずれかの項に記載の情報表示方法。
【請求項６】
前記情報提供サーバは、前記表示情報を送信するステップにおいて、前記最新の測定結果情報及び／又は前記過去の測定結果情報を示すグラフ及び／又は表を表示するイメージデータを生成し、生成した前記イメージデータを表示するための前記表示情報を送信することを特徴とする請求項５に記載の情報表示方法。
【請求項７】
前記サービス提供サーバは、前記表示情報を送信するステップにおいて、少なくとも前記最新の測定値情報を含む前記測定値情報に基づく最新の前記測定結果情報及び／又は前記過去の測定値情報に基づく過去の前記測定結果情報を示すテキストデータを含む前記表示情報を送信することを特徴とする請求項１〜４のいずれかの項に記載の情報表示方法。
【請求項８】
前記情報提供サーバは、前記表示情報を送信するステップにおいて、前記最新の測定結果情報及び／又は前記過去の測定結果情報を示すテキストデータで構成されるテーブルデータを含む前記表示情報を送信することを特徴とする請求項７に記載の情報表示方法。
【請求項９】
前記表示要求情報は、所定の条件に合致する前記測定結果情報を表示するための前記表示情報を要求する抽出条件情報を含み、前記サービス提供サーバは、前記表示情報を送信するステップにおいて、前記抽出条件情報の示す前記所定の条件に合致する前記測定結果情報を表示するための前記表示情報を抽出して送信することを特徴とする請求項７又は８に記載の情報表示方法。
【請求項１０】
前記最新の測定結果情報は、前記最新の測定値情報に基づくものであるか、又は前記最新の測定値情報と前記最新の測定値情報に対して所定期間だけ過去の一定期間における複数の測定値情報とに基づいて処理された代表値に基づくものであることを特徴とする請求項１〜９のいずれかの項に記載の情報表示方法。
【請求項１１】
前記過去の測定結果情報は、前記最新の測定値情報に対して所定期間だけ過去の時点における測定値情報に基づくものであるか、又は前記最新の測定値情報に対して所定期間だけ過去の一定期間における複数の測定値情報に基づいて処理された代表値に基づくものであることを特徴とする請求項１〜９のいずれかの項に記載の情報表示方法。
【請求項１２】
測定者が管理する測定機器の出力に基づく測定値情報を蓄積し、蓄積した前記測定値情報に基づき、前記測定機器による測定結果を示す測定結果情報を、前記公衆回線に接続された閲覧者の端末機器において表示する情報表示サービスを提供するための、前記公衆回線に接続されたサービス提供サーバであって、
前記公衆回線を通じて前記測定値情報を受信する測定値情報受信手段であって、前記測定値情報は、前記測定機器に接続された前記測定者が管理する変換器により前記測定機器の出力が所定の通信プロトコルによって通信できるように変換されて、前記公衆回線を通じて定期的に送信されたものである測定値情報受信手段と、
前記測定値情報受信手段によって受信された前記測定値情報を経時的に記録する測定値情報記録手段と、
前記公衆回線を通じて表示要求情報を受信する表示要求情報受信手段であって、前記表示要求情報は、前記測定値情報記録手段によって記録された最新の前記測定値情報及び／又は過去の前記測定値情報に基づき、前記測定結果に係る情報を前記閲覧者の端末機器において表示するための表示情報を送信することを要求するものである表示要求情報受信手段と、
前記表示要求情報受信手段によって受信された前記表示要求情報に応じて前記表示情報を前記公衆回線を通じて送信する表示情報送信手段と、
を有することを特徴とするサービス提供サーバ。
【請求項１３】
前記表示要求情報受信手段は、前記測定者が前記測定結果情報を公開するための公開画面に係る公開画面情報を格納した前記公衆回線に接続された情報公開サーバから、前記公開画面情報が前記閲覧者の端末機器に前記公衆回線を通じて送信されることによって、前記表示要求情報を受信することを特徴とする請求項１２に記載のサービス提供サーバ。
【請求項１４】
前記表示情報送信手段は、前記公開画面情報が送信された前記閲覧者の端末機器に、前記表示情報を送信することを特徴とする請求項１３に記載のサービス提供サーバ。
【請求項１５】
前記測定者の端末機器から前記公衆回線を通じて受信した要求に応じて、前記測定者が前記公開画面情報と関係付けて前記情報公開サーバに格納する表示要求発生情報を生成する表示要求発生情報生成手段であって、前記表示要求発生情報は、前記公開画面情報が前記閲覧者の端末機器に送信されることによって、前記表示要求情報が前記サービス提供サーバに送信されて、前記サービス提供サーバが前記表示情報を前記閲覧者の端末機器に送信することを可能とするものである表示要求発生情報生成手段と、
前記表示要求発生情報生成手段によって生成された前記表示要求発生情報を、前記公衆回線に接続された前記測定者の端末機器に前記公衆回線を通じて送信する表示要求発生情報送信手段と、
を更に有することを特徴とする請求項１４に記載のサービス提供サーバ。
【請求項１６】
少なくとも前記最新の測定値情報を含む前記測定値情報に基づく最新の前記測定結果情報及び／又は前記過去の測定値情報に基づく過去の前記測定結果情報を表示するイメージデータを生成する表示情報生成手段を更に有し、前記表示情報送信手段は、前記表示情報生成手段によって生成された前記イメージデータを表示するための前記表示情報を送信することを特徴とする請求項１２〜１５のいずれかの項に記載のサービス提供サーバ。
【請求項１７】
前記表示情報生成手段は、前記最新の測定結果情報及び／又は前記過去の測定結果情報を示すグラフ及び／又は表を表示するイメージデータを生成し、前記表示情報送信手段は、前記表示情報生成手段によって生成された前記イメージデータを表示するための前記表示情報を送信することを特徴とする請求項１６に記載のサービス提供サーバ。
【請求項１８】
前記表示情報送信手段は、少なくとも前記最新の測定値情報を含む前記測定値情報に基づく最新の前記測定結果情報及び／又は前記過去の測定値情報に基づく過去の前記測定結果情報を示すテキストデータを含む前記表示情報を送信することを特徴とする請求項１２〜１５のいずれかの項に記載のサービス提供サーバ。
【請求項１９】
前記表示情報送信手段は、前記最新の測定結果情報及び／又は前記過去の測定結果情報を示すテキストデータで構成されるテーブルデータを含む前記表示情報を送信することを特徴とする請求項１８に記載のサービス提供サーバ。
【請求項２０】
前記表示要求情報は、所定の条件に合致する前記測定結果情報を表示するための前記表示情報を要求する抽出条件情報を含み、前記表示情報送信手段は、前記抽出条件情報の示す前記所定の条件に合致する前記測定結果情報を表示するための前記表示情報を抽出して送信することを特徴とする請求項１８又は１９に記載のサービス提供サーバ。
【請求項２１】
前記最新の測定結果情報は、前記最新の測定値情報に基づくものであるか、又は前記最新の測定値情報と前記最新の測定値情報に対して所定期間だけ過去の一定期間における複数の測定値情報とに基づいて処理された代表値に基づくものであることを特徴とする請求項１２〜２０のいずれかの項に記載のサービス提供サーバ。
【請求項２２】
前記過去の測定結果情報は、前記最新の測定値情報に対して所定期間だけ過去の時点における測定値情報に基づくものであるか、又は前記最新の測定値情報に対して所定期間だけ過去の一定期間における複数の測定値情報に基づいて処理された代表値に基づくものであることを特徴とする請求項１２〜２０のいずれかの項に記載のサービス提供サーバ。
【発明の詳細な説明】
【技術分野】
【０００１】
本発明は、測定者が管理する温度計などの測定機器の出力に基づく測定値情報を、インターネットなどの公衆回線に接続されたサービス提供サーバに蓄積し、このサービス提供サーバに蓄積した測定値情報に基づき当該測定機器による測定結果を示す測定結果情報を、同じく公衆回線に接続された閲覧者の端末機器において表示する情報表示方法、並びに、当該情報表示方法に係る情報表示サービスを提供するためのサービス提供サーバに関するものである。
【背景技術】
【０００２】
従来、温度、湿度などの種々の測定対象の状態を測定し、記録することが様々な分野で行われている。
例えば、工業製品の製造や運送の過程における温度、湿度などの物理量を測定し、記録することによって、それぞれの過程を管理することが行われており、そのためにデータロガーシステムと呼ばれる計測システムがある（例えば、特許文献１）。
データロガーシステムでは、一般に、測定機器である温度センサなどのセンサが内蔵又は接続された端末装置（ログ端末）に、測定値情報（測定データ）が記録される。又、複数のログ端末からの測定値情報を親機に収集し、記録することも行われる。更に、一旦測定値情報を収集し、記録したログ端末や親機から、コンピュータなどのホスト装置に転送して蓄積することも行われる。
しかし、上記データロガーシステムなどの、測定値情報を蓄積し、処理し、確認するための従来のシステムでは、ログ端末や親機がデータロガーシステムのための専用のものであり、又、一般には、ログ端末と親機、或いはログ端末（又は親機）とホスト装置とを接続する通信回線には、専用の有線又は無線回線が用いられる。従って、従来、簡易、低コストに、例えば、複数の箇所の測定対象の温度、湿度などの物理量の測定値情報を遠隔の装置に蓄積して、処理し、確認するシステムを構築することは困難であった。
又、測定値情報をホスト装置に送るための通信回線として、公衆回線電話網やインターネットを用いるシステムも提案されているが（特許文献２）、従来のシステムでは、測定値情報は、測定者の管理する閉鎖された系においてのみ利用されるものであり、通常、測定値情報の管理、処理、或いは処理結果の出力は、測定者がホスト装置において専用のソフトウェアを用いて行う。そのため、ホスト装置における測定値情報の保守、管理、更には測定値情報を記録する記録媒体などのホスト装置自体の保守、管理にも手間やコストがかかる。従って、例えば、工業製品の製造業者や運送業者といった専門的な人材や相当の資金を準備できる比較的大規模な企業などではない、小・中規模の製造業やサービス業の事業者や一般家庭の使用者にとっては、測定自体をあきらめざるを得ない場合があった。
更に、ホスト装置に蓄積され、処理された測定結果情報を、測定者の管理する閉鎖された系外の一般に対して公開するためには、ホスト装置に蓄積され、処理された測定結果情報をインターネットなどの公衆回線に接続されたサーバに当該情報を格納する作業を、測定結果情報をホスト装置に蓄積し、処理する作業とは別個に行わなければならない。そして、一般に公開するために最新の測定結果情報などを、逐次に更新することは、非常に煩雑であり、事実上困難である。
【先行技術文献】
【特許文献】
【０００３】
【特許文献１】国際公開第２００３／０２５８８１号
【特許文献２】特開２００２―１９７５８２号公報
【発明の概要】
【発明が解決しようとする課題】
【０００４】
従って、本発明の目的は、専用の回線などを用いた大がかりな測定システムを用いることなく、測定者の管理する測定機器による測定結果を示す測定結果情報を、簡易、低コストにて、蓄積し、逐次に更新して一般に公開することのできる情報表示方法及びサービス提供サーバを提供することである。
【課題を解決するための手段】
【０００５】
上記目的は本発明に係る情報表示方法及びサービス提供サーバにて達成される。要約すれば、本発明は、測定者が管理する測定機器の出力に基づく測定値情報を、公衆回線に接続されたサービス提供サーバに蓄積し、前記サービス提供サーバに蓄積した前記測定値情報に基づき、前記測定機器による測定結果を示す測定結果情報を、前記公衆回線に接続された閲覧者の端末機器において表示する情報表示方法であって；前記サービス提供サーバが、前記公衆回線を通じて前記測定値情報を受信するステップであって、前記測定値情報は、前記測定機器に接続された前記測定者が管理する変換器により前記測定機器の出力が所定の通信プロトコルによって通信できるように変換されて、前記公衆回線を通じて定期的に送信されたものであるステップと；前記サービス提供サーバが、受信した前記測定値情報を経時的に記録するステップと；前記サービス提供サーバが、前記公衆回線を通じて表示要求情報を受信するステップであって、前記表示要求情報は、記録された最新の前記測定値情報及び／又は過去の前記測定値情報に基づき、前記測定結果情報を前記閲覧者の端末機器において表示するための表示情報を送信することを要求するものであるステップと；前記サービス提供サーバが、前記表示要求情報に応じて、前記表示情報を前記公衆回線を通じて送信するステップと；を有することを特徴とする情報表示方法である。
本発明の他の態様によると、測定者が管理する測定機器の出力に基づく測定値情報を蓄積し、蓄積した前記測定値情報に基づき、前記測定機器による測定結果を示す測定結果情報を、前記公衆回線に接続された閲覧者の端末機器において表示する情報表示サービスを提供するための、前記公衆回線に接続されたサービス提供サーバであって；前記公衆回線を通じて前記測定値情報を受信する測定値情報受信手段であって、前記測定値情報は、前記測定機器に接続された前記測定者が管理する変換器により前記測定機器の出力が所定の通信プロトコルによって通信できるように変換されて、前記公衆回線を通じて定期的に送信されたものである測定値情報受信手段と；前記測定値情報受信手段によって受信された前記測定値情報を経時的に記録する測定値情報記録手段と；前記公衆回線を通じて表示要求情報を受信する表示要求情報受信手段であって、前記表示要求情報は、前記測定値情報記録手段によって記録された最新の前記測定値情報及び／又は過去の前記測定値情報に基づき、前記測定結果に係る情報を前記閲覧者の端末機器において表示するための表示情報を送信することを要求するものである表示要求情報受信手段と；前記表示要求情報受信手段によって受信された前記表示要求情報に応じて前記表示情報を前記公衆回線を通じて送信する表示情報送信手段と；を有することを特徴とするサービス提供サーバが提供される。
【発明の効果】
【０００６】
本発明によれば、専用の回線などを用いた大がかりな測定システムを用いることなく、測定者の管理する測定機器による測定結果を示す測定結果情報を、簡易、低コストにて、蓄積し、逐次に更新して一般に公開することができる。
【図面の簡単な説明】
【０００７】
図１は本発明に係る情報表示方法を実現するシステムの一例の概略図である。
図２は本発明に従って構成されるシステムの概略機能ブロック図である。
図３は本発明に係るサービス提供サーバにおける設定処理の一例を示す図である。
図４は本発明に係るサービス提供サーバにおける設定処理の一例を示す図である。
図５は本発明に係るサービス提供サーバにおける設定処理の一例を示す図である。
図６は本発明に係るサービス提供サーバにおける設定処理の一例を示す図である。
図７は本発明に係るサービス提供サーバにおける設定処理の一例を示す図である。
図８は本発明に係るサービス提供サーバにおける設定処理の一例を示す図である。
図９は本発明に従って測定結果情報を公開する処理の一例を示す図である。
図１０は本発明に係るサービス提供サーバにおける設定処理における画面の一例を示す図である。
図１１は本発明に係るサービス提供サーバにおける設定処理における画面の一例を示す図である。
図１２は本発明に係るサービス提供サーバにおける設定処理における画面の一例を示す図である。
図１３は本発明に係るサービス提供サーバにおける設定処理における画面の一例を示す図である。
図１４は本発明に係るサービス提供サーバにおける設定処理における画面の一例を示す図である。
図１５は本発明に係るサービス提供サーバにおける設定処理における画面の一例を示す図である。
図１６は本発明に係るサービス提供サーバにおける設定処理における画面の一例を示す図である。
図１７は本発明に係るサービス提供サーバにおける設定処理における画面の一例を示す図である。
図１８は本発明に係るサービス提供サーバにおける設定処理における画面の一例を示す図である。
図１９は本発明に係るサービス提供サーバにおける設定処理における画面の一例を示す図である。
図２０は本発明に係るサービス提供サーバにおける設定処理における画面の一例を示す図である。
図２１は測定結果情報の公開態様の一例を示す図である。
図２２は測定結果情報の公開態様の他の例を示す図である。
図２３は本発明に係るサービス提供サーバにおける設定処理における画面の一例を示す図である。
【発明を実施するための形態】
【０００８】
以下、本発明に係る情報表示方法及びサービス提供サーバを図面に則して更に詳しく説明する。
【実施例１】
【０００９】
１．システム構成
先ず、本発明に係る情報表示方法を具現する情報表示システムの概略全体構成について説明する。
図１は、情報表示システムの一例を模式的に示す。本実施例では、情報表示システム１は、概略、測定者（測定に関し発意と責任を有する主体）が管理する測定者システム１００と、サービス提供者（本発明に従う情報表示サービスに関し発意と責任を有する主体）が管理するサービス提供者システム２００と、閲覧者が管理する閲覧者システム３００とが、公衆回線Ｎを介して接続されて構成されている。又、本実施例では、情報表示システム１は更に、測定者が測定結果に係る測定結果情報を公開するための情報を格納するための情報公開システム４００（図２参照）を含む。
測定者システム１００において測定者が管理する測定機器１０１による測定値情報（測定データ）を、公衆回線Ｎに接続されたサービス提供システム２００においてサービス提供者が管理するサービス提供サーバ２０１に蓄積する。そして、このサービス提供サーバ２０１に蓄積した測定値情報に基づく当該測定機器１０１による測定結果を示す測定結果情報を、公衆回線Ｎに接続された閲覧者が管理する閲覧者の端末機器３０１に表示するようになっている。
本実施例では、公衆回線Ｎは、インターネットである。又、本実施例では、温泉の管理者が温泉の温度を測定、記録し、その測定結果を示す測定結果情報を、公衆回線Ｎを介して一般に公開する場合を例として説明する。
測定者システム２００は、測定機器１０１と、測定機器１０１が接続された変換器１０２とを有する。又、測定者システム２００は、変換器１０２や、測定者が管理する測定者の端末機器（本実施例ではパーソナルコンピュータ（ＰＣ））１０４を公衆回線Ｎに接続するための、ＡＤＳＬモデムやルーターとされる接続機器（本実施例ではインターネット常時接続可能なルーター）１０３を有する。
測定機器１０１としては、ＲＳ２３２、ＲＳ４５８、ＲＳ４２２などのシリアルインターフェースを介してコンピュータやシリアルサーバーに検出値情報をデジタル信号として出力することのできるデジタル測定機器（シリアルデバイス）を用いる。本実施例では、測定機器１０１として温度計を用いるが、この他、測定対象に応じて、温湿度計、湿度計、酸素濃度計、ＣＯ２（二酸化炭素）濃度計、電流・電圧計、照度計、ｐＨ計、ＯＲＰ（酸化還元電位）計、ＵＶ（紫外線）計、色彩測定器、Ｏ２濃度計、電気伝導度計、騒音計、水分計、風速計などの各種物理量の測定を行うものであってよい。測定機器１０１は、本体１１１とセンサ部（端子）１１２とを分離可能に有していても、一体で有していてもよい。
変換器１０２は、測定機器１０１が接続され、測定機器１０１の出力を所定の通信プロトコルによって公衆回線Ｎを通じて通信できるように変換する。特に、本実施例では、変換器１０２としては、シリアルデバイスとされる測定機器１０１の出力を、インターネットを通じて通信可能な所定のプロトコルであるＴＣＰ／ＩＰによって変換するＬＡＮコンバータ（シリアルサーバー）を用いる。この変換器１０２は、ＬＡＮ経由（イーサネット接続）で、ルーター１０３により公衆回線Ｎに常時接続される。そして、変換器１０３は、所定の間隔で定期的に測定機器１０１の出力を読み込み、公衆回線Ｎを通じて通信可能な測定値情報に変換し、これを一旦記憶するなどした後、所定の間隔で定期的に公衆回線Ｎを通じて送信する。変換器１０２は、ＬＡＮケーブルによって、ルーター１０３に接続される。又、ルーター１０３には、測定者のＰＣ１０４が接続されていてよく、これによって測定者のＰＣ１０４が公衆回線Ｎに接続されると共に、測定者のＰＣ１０４からＬＡＮ経由で変換器１０２にアクセスし、測定機器１０１の出力を読み込む間隔、測定値情報を送信する間隔の設定を含む、各種の設定を行うことができる。又、ＰＣ１０４において、ウェブブラウザプログラムなどによって、ＬＡＮ経由で変換器１０２から直接測定値情報を読み込み、例えば所定の書式、表示形式によって最新の測定値情報に基づく測定結果情報（例えば、測定温度値（℃））を表示するようにしてもよい。
尚、変換器１０２と測定者のＰＣ１０４とは、ＬＡＮ接続されていてもよいが、これに限定されるものではない。例えば、測定機器１０１及び変換器１０２の設置場所と測定者のＰＣ１０４とが離れている場合には、変換器１０２と測定者のＰＣ１０４とがそれぞれ別個にルーター１０３などの接続機器を介して公衆回線Ｎに接続されていてよい。
又、本実施例では、理解を容易とするために、測定者システム１００において測定者が管理する測定機器１０１、測定機器１０１の有する端子１１２、変換器１０２は、それぞれ１個であるものとして説明するが、本発明はこれに限定されるものではない。測定者システム１００において、測定者が、複数の測定機器１０１を１個の変換器１０２に接続して使用したり、それぞれ単数又は複数の測定機器１０１を接続した複数の変換器１０２を使用したり、更には各測定機器１０１が複数の端子１１２を有していたりしてよい。
測定者は、ＰＣ１０４によって公衆回線Ｎを通じてサービス提供システム２００にアクセスして、サービス提供者のサービスの提供を受けることができる。ＰＣ１０４の他、例えば、携帯電話１０５などの携帯情報端末によって公衆回線Ｎを通じてサービス提供システム２００にアクセスして、サービス提供サーバ２０１に蓄積した測定値情報に基づく測定結果情報の閲覧などのサービスの提供を受けることができる。
次に、サービス提供者システム２００は、公衆回線Ｎに接続された、ウェブサーバであるサービス提供サーバ２０１を有する。サービス提供サーバ２０１は、本発明に従う情報表示サービスを実行するようにプログラムされている。サービス提供サーバ２０１は、公衆回線Ｎを通じて測定者システム１００から送信されてくる測定値情報を蓄積する機能、蓄積した測定値情報に基づく測定結果情報を、測定者が利用可能なように公衆回線Ｎを通じて測定者システム１００に送信する機能、そして蓄積した測定値情報に基づいて測定者が公衆回線Ｎを通じて一般に公開しようとする測定結果情報を公開可能とする機能などを有する。
次に、閲覧者システム３００は、公衆回線Ｎに接続された閲覧者の端末機器（本実施例ではパーソナルコンピュータ（ＰＣ））３０１を有する。閲覧者は、公衆回線Ｎを通じて、測定者が公開するウェブページ（ホームページ、ブログ）にアクセスしてこれを閲覧できるものである。典型的には、閲覧者は、測定者及びサービス提供者以外の第三者である。但し、容易に理解されるように、測定者自身、或いはサービス提供者自身が、当該ウェブページにアクセスして閲覧することも可能であり、この場合は測定者又はサービス提供者と、閲覧者とが同一の者となる。
図２をも参照して更に詳しく説明すると、先ず、測定者システム１００において、温度計とされる測定機器１０１の本体１１１には、測定対象である温泉の湯Ｈに接触するように配置されたセンサ部（端子）１１２が接続されている。測定機器１０１が接続されるＬＡＮコンバータ（シリアルサーバ）とされる変換器１０２は、その動作を制御する制御手段としてのＣＰＵ（中央演算処理装置）１２１と、記憶手段としてのメモリ（フラッシュメモリ、ＥＥＰＲＯＭなど）１２２と、測定機器１０１が接続されるシリアルインターフェース１２３と、図２には示していないルーター１０３（図１参照）などの接続機器を介して変換器１０２を公衆回線Ｎに接続するためのネットワークインターフェース１２４と、を有する。ＣＰＵ１２１は、メモリ１２２に格納されたファームウェアに従って、所定の間隔で定期的に測定機器１０１の出力を読み込み、所定の間隔で定期的に公衆回線Ｎを通じて測定値情報を送信するように設定される。ＣＰＵ１２１は、測定機器１０１の出力を変換前又は変換後に一旦メモリ１２２に記憶させるように設定されてよい。例えば、変換器１０２は、１分毎に測定機器１０１の出力を読み込んで、３分毎に測定値情報を公衆回線Ｎを通じて送信するように設定することができる。本実施例では、ｈｔｔｐプロトコルを使ったＰＯＳＴメソッドで測定値情報をサービス提供サーバ２０１に送る。変換器１０２は、公衆回線Ｎに接続されると自動的にサービス提供サーバ２０１にアクセスして測定値情報をサービス提供サーバ２０１に送信できるように、サービス提供者などがこれを測定者に提供する際に、ファームウェアによって予めプログラムされていることが好適である。但し、測定者が、例えば、変換器１０２の操作部（図示せず）或いはＬＡＮ経由でＰＣ１０４から設定するようになっていてもよい。上記出力を読み込む時間間隔や測定値情報を送信する時間間隔は、例えば、変換器１０２の操作部（図示せず）或いはＬＡＮ経由でＰＣ１０４から変更し設定することが可能である。
次に、測定者システム１００のＰＣ１０４としては、一般的な構成のパーソナルコンピュータを用いることができる。即ち、ＰＣ１０４は、概略、プログラムを実行する制御手段としてのＣＰＵ１４１、プログラムや各種データを格納する記憶手段としてのハードディスク１４２、プログラムを実行する際の作業領域として用いられる作業用の記憶手段としてのメモリ１４３、操作者がデータの入力などに用いる操作キーボードやマウスなどの入力手段たる操作部１４４、ＣＰＵ１４１の処理結果を画面表示するための表示手段たるディスプレイ１４５、ＰＣ１０４を公衆回線Ｎに接続するためのネットワークインターフェース１４６などを有する。ハードディスク１４２には、ウェブページを閲覧するためのアプリケーションプログラムであるウェブブラウザプログラム（以下、単に「ブラウザ」という。）が格納されている。操作者は、ＰＣ１０４においてブラウザを実行して、公衆回線Ｎを通じてウェブサイトにアクセスして閲覧することができる。
次に、サービス提供者システム２００のサービス提供サーバ２０１としては、一般的な構成のウェブサーバとして用いられるサーバコンピュータを用いることができる。即ち、サービス提供サーバ２０１は、概略、プログラムを実行してサービス提供サーバ２０１の全体を制御する制御手段としてのＣＰＵ２１１、プログラムや各種データを格納する記憶手段としてのハードディスク２１２、プログラムを実行する際の作業領域として用いられる作業用の記憶手段としてのメモリ２１３、サービス提供サーバ２０１を公衆回線Ｎに接続するためのネットワークインターフェース２１４などを有する。ハードディスク２１２には、ＣＰＵ２１１によって読み出されて実行される、各種プログラムや各種データが格納されている。特に、ハードディスク２１２には、サービス提供サーバ２０１の提供するサービスを構成するウェブページや各種処理プログラムを含むウェブコンテンツデータを記憶する領域、サービス提供サーバ２０１の提供するサービスを受けるべく登録された個々のユーザー（測定者）に関するユーザー登録情報を記憶する領域（ユーザー登録データベース）、ユーザー毎の測定値情報を記憶する領域（測定値データベース）、ユーザー毎の各種設定値を記憶する領域（設定値データベース）が設けられている。
次に、閲覧者システム３００のＰＣ３０１は、一般的な構成のパーソナルコンピュータであってよい。即ち、測定者のＰＣ１０４と同様、ＰＣ３０１は、概略、ＣＰＵ３１１、ハードディスク３１２、メモリ３１３、操作部３１４、ディスプレイ３１５、ネットワークインターフェース３１６などを有する。ハードディスク３１２には、ウェブページを閲覧するためのブラウザが格納されている。操作者は、ＰＣ３０１においてブラウザを実行して、公衆回線Ｎを通じてウェブサイトにアクセスして閲覧することができる。
次に、測定者が公衆回線Ｎを通じて測定結果情報を一般に公開するために開設するウェブページを格納している、ウェブサーバとされる情報公開サーバ４０１は、一般的な構成のウェブサーバとして用いられるサーバコンピュータであってよい。即ち、上記サービス提供サーバ２０１と同様、情報公開サーバ４０１は、概略、ＣＰＵ４１１、ハードディスク４１２、メモリ４１３、ネットワークインターフェース４１４などを有する。ハードディスク４１２には、ＣＰＵ４１１によって読み出されて実行される、各種プログラムや各種データが格納されている。例えば、ハードディスク４１２には、登録された個々の利用者に関する利用者登録情報を記憶する領域や、利用者毎の開設するウェブページデータなどのウェブコンテンツデータを記憶する領域が設けられている。
２．サービス提供サーバの処理
（１）測定機器設定
先ず、測定者は、サービス提供者の提供する情報表示サービスを受ける前提として、測定者のＰＣ１０４からサービス提供サーバ２０１にアクセスして、予めユーザー登録を行い、サービス提供サーバ２０１が指定するログインＩＤを取得し、パスワードを設定しておく。
次に、測定者は、サービス提供サーバ２０１に測定値情報を蓄積するために、サービス提供サーバ２０１に対して測定機器１０１、変換器１０２などの設定を行う。図３は、当該設定の処理の一例を示すシーケンス図である。
測定者がＰＣ１０４のブラウザによってサービス提供サーバ２０１のホームページにアクセスし、ブラウザによってディスプレイ１４５に表示されたログイン画面の所定の入力欄にログインＩＤ、パスワードを入力して、送信の指示を行うと、ブラウザはログインＩＤ、パスワードをサービス提供サーバ２０１に送信する（Ｓ（ステップ）１０１）。
サービス提供サーバ２０１は、受信したログインＩＤ、パスワードがハードディスク２１２内の所定の記憶領域（ユーザー登録データベース）に既に登録されたユーザーのものであるかの確認を行う（Ｓ１０２）。登録されたユーザーのものである場合は、サービス提供サーバ２０１は、各種設定メニュー及び提供サービスメニューを表示するメニュー画面を表示する画面データを測定者のＰＣ１０４に送信する（Ｓ１０３）。
測定者がブラウザによって表示されたメニュー画面中の測定機器設定画面への移行を指示する表示を押下すると、ブラウザは測定機器設定画面の表示要求をサービス提供サーバ２０１に送信する（Ｓ１０４）。サービス提供サーバ２０１は、測定機器設定画面の表示要求を受信すると、測定機器設定画面を表示する画面データを測定者のＰＣ１０４に送信する（Ｓ１０５）。
測定者が、ブラウザによって表示された測定機器設定画面中の測定機器１０１の種類、変換器１０２の種類、変換器１０２の個体識別情報の入力欄に、必要な情報を入力して、「保存（或いは登録）」ボタンを押下すると、ブラウザは入力された情報をサービス提供サーバ２０１に送信する（Ｓ１０６）。本実施例では、測定機器１０１の種類、変換器１０２の種類として、利用可能な複数種類の測定機器１０１、変換器１０２が予めサービス提供サーバ２０１のハードディスク２１２の所定の記憶領域に記憶されており、測定機器設定画面では、ブラウザによって表示されるプルダウンメニューから選択するようになっている。又、変換器１０２の個体識別情報としては、変換器１０２に予め指定されている（変換器１０３の本体や仕様書に表示されている）ＭＡＣｉｄを入力するようになっている。又、この時、変換器設定画面において、変換器１０２に適当な名称を付したり、変換器１０２の品番を入力したりする欄を設けてもよい。
サービス提供サーバ２０１は、受信した設定内容を確認し、問題がなければ設定内容をハードディスク２１２内の所定の記憶領域（ユーザー（ログインＩＤ）毎に設けられた設定値情報を記憶する設定値データベース）に登録する（Ｓ１０７）。
次に、サービス提供サーバ２０１は、サービス提供サーバ２０１に、測定機器１０１に接続された端子１１２の設定を行う端子設定画面を表示する画面データを測定者のＰＣ１０４に送信する（Ｓ１０８）。
測定者がブラウザによって表示された端子設定画面中の端子の名称の入力欄に適当な名称（以下、本実施例では「端子１」とする。）を入力して、「保存（或いは登録）」ボタンを押下すると、ブラウザは入力された情報をサービス提供サーバ２０１に送信する（Ｓ１０９）。本実施例では、それぞれ１個の測定機器１０１、端子１１２、変換器１０２を用いるものとして説明するが、測定機器１０１の種類によって複数の端子１１２を接続可能であるものについては、上述の端子設定画面中の端子の名称は、利用可能な端子１１２の数に応じた数だけ設定できるようにする。利用可能な測定機器１０１の種類が予めサービス提供サーバ２０１のハードディスク２１２の所定の記憶領域に記憶されている場合には、それぞれの測定機器において利用可能な端子１１２の数を併せて記憶しておき、端子設定画面中に利用可能な端子１１２の数に応じた入力欄を設けるようにすることができる。ブラウザ上の端子設定画面から、端子の追加をサービス提供サーバ２０１に指示することによって、入力欄が増加された端子設定画面がサービス提供サーバ２０１から送信されるようにしてもよい。サービス提供サーバ２０１は、受信した設定内容を確認し、問題がなければ設定内容をハードディスク２１２内の所定の記憶領域（設定値データベース）に登録する（Ｓ１１０）。
以上の処理により、サービス提供サーバ２０１に対して測定機器１０１、端子１１２、変換器１０２などの設定が終了する。そして、既に測定機器１０１の出力を定期的に読み込んでいる変換器１０２が公衆回線Ｎを通じてサービス提供サーバ２０１に接続されていれば、次に変換器１０２がサービス提供サーバ２０１に測定値情報を送信するタイミングから、サービス提供サーバ２０１のハードディスク２１２内の所定の領域（ユーザー（ログインＩＤ）毎に設けられた測定値情報を記憶する測定値データベース）に、測定値情報が定期的に記録され、経時的に蓄積されていく。測定値情報は、上述のようにして設定した端子（端子１１２の名称）毎に関係付けられてサービス提供サーバ２０１のハードディスク２１２内の測定値データベースに記録されていく。
（２）チャート設定
次に、サービス提供サーバ２０１が提供する、チャート（表及び／又はグラフ）の作成処理について説明する。図４は、当該処理の一例を示すシーケンス図である。
先ず、図３のＳ１０１〜Ｓ１０３と同様のＳ２０１〜Ｓ２０３の処理によって、ＰＣ１０４のブラウザ上にメニュー画面が表示される。
そして、測定者がブラウザによって表示されたメニュー画面中のチャート作成設定画面への移行を指示する表示を押下すると、ブラウザはチャート作成設定画面の表示要求をサービス提供サーバ２０１に送信する（Ｓ２０４）。サービス提供サーバ２０１は、チャート作成設定画面の表示要求を受信すると、チャート作成設定画面を表示する画面データを測定者のＰＣ１０４に送信する（Ｓ２０５）。
例えば、図１０に示すように、ブラウザによって表示されたチャート作成設定画面は、チャートに反映させる測定値情報のソースを選択するための登録されている端子１１２の一覧（端子名の一覧）（図示せず）、グラフの種類の選択欄、チャートのプロット間の時間間隔（１５分、時、日、月など）の選択欄、測定値情報の生データの前処理（指定されたプロット間の期間における、平均化処理、最大値・最小値選択処理、いずれかの生データ（例えば期間の最初又は最後の生データ）をそのまま使用することなど）の選択欄、チャートの形式（表、グラフ、又はグラフと表など）の選択欄、チャートの書式（タイトル、Ｘ軸・Ｙ軸のタイトル、凡例、文字のフォント・サイズ・色、背景色など）の選択欄などを含んでいる。測定者が、チャート作成設定画面中の上記各種入力欄、選択欄（ラジオボックス、チェックボックス）に必要な情報を入力して、「保存（或いは登録）」ボタンを押下すると、ブラウザは入力された情報をサービス提供サーバ２０１に送信する（Ｓ２０６）。例えば、グラフの種類としては、時系列の折れ線グラフ（複数の端子１１２のデータを用いる場合に対応した多測定点折れ線グラフなど）、データの値の分布を表示する分布グラフなど任意の種類のグラフを企図し得る。チャートの各プロットに、平均値、最大値・最小値の選択値などの所定の処理がされた測定値情報の代表値を用いる場合、チャートの時間軸の値は、プロット間の期間のいずれかの時点（例えば、期間の終了時）で代表することができる。
このように、上記チャートの各プロットに相当する測定結果情報には、少なくとも最新の測定値情報を含む測定値情報に基づく最新の測定結果情報と、最新の測定値情報に対して過去の測定値情報のみに基づく過去の測定結果情報とがある。そして、最新の測定結果情報は、最新の測定値情報に基づくもの（生データ）であるか、又は最新の測定値情報と最新の測定値情報に対して所定期間だけ過去の一定期間における複数の測定値情報とに基づいて処理された代表値（平均値、最大値・最小値など）に基づくものであってよい。又、過去の測定結果情報は、最新の測定値情報に対して所定期間だけ過去の時点における測定値情報に基づくもの（生データ）であるか、又は最新の測定値情報に対して所定期間だけ過去の一定期間における複数の測定値情報に基づいて処理された代表値（平均値、最大値・最小値など）に基づくものであってよい。
尚、チャートに表示可能な最大プロット数を限定し、後述のチャート表示画面では、最新の測定結果情報と、最新の測定結果情報から最大プロット数の範囲の過去までの測定結果情報とを含む複数の測定結果情報に基づくチャートを作成し、表示するようにすることができる。又、チャートは、同一の端子１１２による測定値情報に基づいて、上記各種設定を異ならせるなどして複数設定して登録することができる。又、複数の端子１１２を用いている場合には、１つのチャートに複数の端子１１２による測定値情報を反映させることもできる。
サービス提供サーバ２０１は、受信した設定内容を確認し、問題がなければ設定内容をハードディスク２１２内の所定の記憶領域（設定値データベース）に登録する（Ｓ２０７）。
（３）チャート表示
次に、サービス提供サーバ２０１が提供するチャート（表及び／又はグラフ）の表示処理について説明する。図５は、当該処理の一例を示すシーケンス図である。
先ず、図３のＳ１０１〜Ｓ１０３と同様のＳ３０１〜Ｓ３０３の処理によって、ＰＣ１０４のブラウザ上にメニュー画面が表示される。
そして、測定者がブラウザによって表示されたメニュー画面中のチャート表示画面への移行を指示する表示を押下すると、ブラウザはチャート表示画面の表示要求をサービス提供サーバ２０１に送信する（Ｓ３０４）。サービス提供サーバ２０１は、チャート表示画面の表示要求を受信すると、上述のようにして既に設定されて登録されているチャートの一覧（タイトルの一覧）を表示する画面データを測定者のＰＣ１０４に送信する（Ｓ３０５）。
測定者が、ブラウザによって表示されたチャートの一覧の中から表示したいチャートのタイトルの表示を押下すると、ブラウザはチャートの表示要求をサービス提供サーバ２０１に送信する（Ｓ３０６）。
サービス提供サーバ２０１は、受信したチャートの表示要求で指定されたタイトルと関係付けられてハードディスク２１２内の所定の領域（設定値データベース）に登録されている設定に従って、上述の最大プロット数の範囲でチャートを作成する（Ｓ３０７）。本実施例では、サービス提供サーバ２０１は、チャートをイメージデータとして生成する。そして、サービス提供サーバ２０１は、作成したチャートを表示する画面データを測定者のＰＣ１０４に送信する（Ｓ３０８）。
測定者は、ブラウザによって表示されたチャートを確認することができる（図１１参照）。又、例えば、チャート表示画面に、チャートの更新を指示する表示を含め、測定者がブラウザにおいてチャートの更新を指示する表示を押下することによって、当該指示がサービス提供サーバに送信され、サービス提供サーバ２０１で新たに作成した最新のチャートを測定者のＰＣ１０４に送信して表示させるようにすることができる。
尚、上記チャート表示画面では、予め設定したチャート毎に、目的とする測定機器の測定結果情報を詳しく表示することができる。これに対して、測定者が、複数の測定機器１０１、複数の端子１１２、或いは複数の変換器１０２を有しており、サービス提供サーバ２０１にそれぞれ登録している場合に、指定した端子１１２による最新の測定結果情報の一覧を表示することが便利である場合がある。そのため、サービス提供サーバ２０１は、測定者のＰＣ１０４からの要求に応じて、予め指定されている端子１１２（複数の端子１１２であってよい）により測定されてサービス提供サーバ２０１に蓄積されている測定値情報に基づく最新の測定結果情報の一覧（指定された端子１１２毎の最新の測定温度値（℃）の一覧など）を表示する画面データを、測定者のＰＣ１０４に送信できるようにすることができる。携帯電話からの当該表示の要求に対しては、携帯電話用に簡便な形態とした当該表示を行うための画面データを、測定者の携帯電話に送信するようにすることができる。
又、本実施例の情報表示システム１では、変換器１０２が定期的に測定値情報をサービス提供サーバ２０１に送信し、サービス提供サーバ２０１がこれを受信して経時的に記録するようになっている。これを利用して、サービス提供サーバ２０１が測定者システム１００における停電を検知して、これを測定者に報知するようにすることもできる。つまり、変換器１０２がサービス提供サーバ２０１に測定値情報を送信するように設定されている時間間隔よりも長い任意の時間の間（例えば、変換器１０２が３分毎に測定値情報を送信する場合に、６分間など）、サービス提供サーバ２０１が測定値情報を受信しなかった場合に、サービス提供サーバ２０１が、予め設定された測定者の連絡先（携帯電話のメールアドレスなど）にその旨を自動的に通知するようにすることができる。これにより、測定者は、変換器１０２が測定値情報を送信できない原因を確認することができる。この原因としては、変換器１０２や関連する通信機器への電力の供給が停止したことが考えられる。換言すれば、変換器１０２からの測定値情報の受信状況から、測定者システム１００における停電を検知することができる。この通知を受け取るために、測定者は、サービス提供サーバ２０１のウェブページにおいて、所定の手順に従って、サービス提供サーバが前回測定値情報を受信してから通知を発するまでの待ち時間、連絡先、更には任意に通知内容（携帯電話のメールにおいて表示させるメッセージ）などを予め登録しておく。
（４）公開設定
次に、サービス提供サーバ２０１が提供する情報表示サービスの主要な機能である、測定結果情報を公開することを可能とする公開設定処理について説明する。
本実施例では、登録されている現実の端子１１２による最新の測定結果情報をリアルタイムで更新して公開することができるようになっている。この公開される最新の測定結果情報は、上記チャートの各プロットと同様、記録されている測定値情報の生データであってもよいし、平均値、最大値・最小値などの所定の処理がされた代表値であってもよい。本実施例では、公開される最新の測定結果情報として、測定値情報の生データが用いられる。
尚、公開される最新の測定結果情報として、上記所定の処理がされた代表値が用いられる場合には、例えば上記チャートの各プロットのために設定したものと同じ設定の前処理（平均化処理、最大値・最小値選択処理、生データをそのまま使用すること）が適用された測定値情報の代表値が用いられるようにすることができる。勿論、チャートの各プロットに反映させる測定値情報と、公開される最新の測定結果情報に反映させる測定値情報とで、前処理の設定が異なっていてもよい。
又、本実施例では、登録されている現実の端子１１２による測定値情報に基づいて、常に最新の測定値情報に対して所定期間だけ過去の測定値情報に基づく過去の測定結果情報をリアルタイムで更新して公開することができるようになっている。この公開される過去の測定結果情報は、過去のある時点の値（生データ）であってもよいし、過去の一定期間における平均値、最大値・最小値の選択値などの所定の処理がされた代表値であってもよい。この機能は、常に最新の測定値情報に対して所定期間だけ過去の測定値情報を提供するものとして予め設定された仮想（バーチャル）端子の測定値情報に基づく、測定結果情報のリアルタイムな公開として捉えることができる。
（４−１）最新の測定結果情報の公開設定
先ず、最新の測定結果情報の公開設定処理について説明する。図６は、当該処理の一例を示すシーケンス図である。
先ず、図３のＳ１０１〜Ｓ１０３と同様のＳ４０１〜Ｓ４０３の処理によって、ＰＣ１０４のブラウザ上にメニュー画面が表示される。
そして、測定者がブラウザによって表示されたメニュー画面中の公開設定画面への移行を指示する表示を押下すると、ブラウザは公開設定画面の表示要求をサービス提供サーバ２０１に送信する（Ｓ４０４）。サービス提供サーバ２０１は、公開設定画面の表示要求を受信すると、公開設定画面を表示する画面データを測定者のＰＣ１０４に送信する（Ｓ４０５）。
例えば、図１２に示すように、ブラウザによって表示された公開設定画面は、公開データ一覧（公開する現実の端子、公開する仮想端子、公開するチャートを表示するための一覧。初期は空欄であってよい。）、「端子を追加」ボタン、「チャートを追加」ボタンなどを含んでいる。
測定者が「端子を追加」ボタンを押下すると、ブラウザはサービス提供サーバ２０１に既に登録されている端子１１２（現実の端子）の一覧の表示要求をサービス提供サーバ２０１に送信する（Ｓ４０６）。サービス提供サーバ２０１は、端子１１２（現実の端子）の一覧の表示要求を受信すると、当該一覧を表示する画面データを測定者のＰＣ１０４に送信する（Ｓ４０７）。測定者が表示された一覧（図示せず）から測定結果情報を公開したい端子１１２の名称の表示を押下すると、ブラウザは当該端子１１２を公開データ一覧に追加する要求をサービス提供サーバ２０１に送信する（Ｓ４０８）。サービス提供サーバ２０１は、上記要求を受信すると、当該端子１１２を公開データ一覧に加えて当該端子１１２の公開設定を可能とする情報をハードディスク２１２内の所定の記憶領域（設定値データベース）に登録する（Ｓ４０９）。そして、サービス提供サーバ２０１は、公開可能な端子１１２の欄が追加された公開データ一覧を表示する更新された公開設定画面（図１３参照）の画面データを測定者のＰＣ１０４に送信する（Ｓ４１０）。
次に、測定者が公開データ一覧中の追加した端子１１２の名称の横に表示された「非公開」表示を押下すると、ブラウザは当該端子１１２の測定結果情報の公開を可能とする公開要求（即ち、後述するように測定結果情報を表示するためにサービス提供サーバ２０１が送信する表示情報の逐次更新の開始要求）をサービス提供サーバ２０１に送信する（Ｓ４１１）。サービス提供サーバ２０１は、当該公開要求を受信すると、本実施例では測定結果情報を公開できる端子の数が限定されるので、当該公開要求が現在許容されるかを確認する（Ｓ４１２）。又、サービス提供サーバ２０１は、公開要求が許容される場合には、後述するように表示情報を逐次に作成し、更新して記憶する領域を、ハードディスク２１２内の測定値データベースに確保する。次に、サービス提供サーバ２０１は、上記「非公開」表示を「公開」表示に変更し、端子１１２の名称の横に新たに「設定変更」ボタンを表示する更新された公開設定画面（図１４参照）の画面データを測定者のＰＣ１０４に送信する（Ｓ４１３）。一方、サービス提供サーバ２０１は、公開要求が許容されない場合は、その旨を表示する更新された公開設定画面の画面データを測定者のＰＣ１０４に送信する。尚、測定結果情報を公開できる端子の数は限定されていなくてもよい。
次に、測定者が公開要求をした端子１１２の名称の横に追加された「設定変更」ボタンを押下すると、ブラウザは、公開する測定結果情報の表示態様などの詳細設定を変更するための設定変更画面の表示要求を、サービス提供サーバ２０１に送信する（Ｓ４１４）。サービス提供サーバ２０１は、設定変更画面の表示要求を受信すると、最新の測定結果情報を、測定者が開設しているホームページやブログに動的にリンクするための情報であるスクリプト情報（ブログパーツ，タグ）を生成する（Ｓ４１５）。そして、サービス提供サーバ２０１は、図１５に示すように、テキストボックスＤ１内に上記スクリプト情報が表示された、設定変更画面を表示する画面データを測定者のＰＣ１０４に送信する（Ｓ４１６）。
本実施例では、上記スクリプト情報が貼り付けられたウェブページ（ホームページやブログ）にブラウザによってアクセスした時に、そのブラウザ上に、測定結果情報が、上記設定変更画面において指定された各種設定に従ってイメージデータとして表示されるようになっている。これにより、ブラウザの設定などの諸条件により、表示される測定結果情報が文字化けするなどの問題を避けることができる。より具体的には、本実施例では、サービス提供サーバ２０１は、公開設定された端子１１２による測定値情報に基づいて、上述のようにして設定された書式等に従って、測定結果情報を表示するために送信する表示情報としてのイメージデータ（画像情報）を逐次に作成し、これをハードディスク２１２内に確保した所定の領域に逐次に更新して記憶させる。
本実施例のように、公開される最新の測定結果情報に反映される測定値情報が生データである場合には、サービス提供サーバ２０１は、測定値情報の生データを表示するための表示情報を、ハードディスク２１２内に確保された上記所定の領域に逐次に更新して記憶させる。一方、公開される最新の測定結果情報に反映される測定値情報が平均化処理、最大値・最小値選択処理などの所定の処理がされた代表値である場合には、サービス提供サーバ２０１は、その平均値、最大値・最小値を表示するための表示情報を逐次に演算により求め、ハードディスク２１２内に確保された上記所定の領域に逐次に更新して記憶させる。
スクリプト情報は、当該表示情報が逐次に更新されて記憶される領域を指定している。そして、このスクリプト情報は、サービス提供サーバ２０１が、当該スクリプト情報が掲載されたウェブページをブラウザによって表示している端末に、当該表示情報を送信することを可能とする。尚、スクリプト情報は、ウェブページを構成する複数のプログラム言語に対応するべく複数表示することができる。又、図１５に示すように、公開設定処理において設定された書式等に従う表示情報によって測定結果情報がどのように表示されるかを確認できるように、設定変更画面において「出力サンプル」を表示することができる。例えば、設定変更画面（図１５）のテキストボックスＤ１内に表示されるスクリプト情報は、次のようなものである。
【数１】
2010123044.tif 000003
【数２】
2010123044.tif 000004
ブラウザによって表示される設定変更画面（図１５参照）は、最新の測定結果情報を公開するか、最新の測定値情報に対して所定期間だけ過去の測定値情報に基づく過去の測定結果情報を公開するかの選択欄（ここでは「最新」を選択することで最新の測定値の公開を指定する）、表示形式（値のみ、値と単位、値と単位と日時など）の選択欄、タイトル（測定場所）などの任意の付加文字の入力欄、表示書式（文字フォント・サイズ・色の選択欄、背景色）の選択欄などを含んでいる。測定者が、設定変更画面中の上記各種入力欄、選択欄（ラジオボックス、チェックボックス）に必要な情報を入力して、「保存（或いは登録）」ボタンを押下すると、ブラウザは入力された情報をサービス提供サーバ２０１に送信する（Ｓ４１７）。尚、設定変更画面に、代替表示設定欄を設けて、測定値が所定の条件（例えば所定温度以下、所定温度以上など）を満たした場合に、測定値の表示に替えてメッセージを表示するように設定したり、当該所定の条件を満たしたときに測定値の表示の文字或いはその背景を変更（例えば、背景を警告色に変更するなど）したりすることができる。
サービス提供サーバ２０１は、受信した設定内容を確認し、問題がなければ設定内容をハードディスク２１２内の所定の記憶領域（設定値データベース）に登録する（Ｓ４１８）。
（４−２）仮想端子による過去の測定結果情報の公開設定
次に、仮想端子による過去の測定結果情報の公開設定処理について説明する。図７は、当該処理の一例を示すシーケンス図である。
仮想端子による過去の測定結果情報の公開の設定処理は、現実の端子１１２による測定値情報に基づいて、常に最新の測定値情報に対して所定期間だけ過去の測定値情報に基づく過去の測定結果情報をリアルタイムに更新して公開するように設定することを除いて、上記最新の測定結果情報の公開設定処理と同様である。
ここでは、図６に示す現実の端子１１２による最新の測定結果情報の公開設定処理に続いて、仮想端子を追加する処理を行う場合について説明する。
図６のＳ４１７の処理において設定変更の登録を指示した後、ブラウザによって公開設定画面に戻る。そして、Ｓ５０１〜Ｓ５１３においては、それぞれ図６のＳ４０６〜Ｓ４１８における処理と同様の処理が行われる。
特に、図６のＳ４１７と同様のＳ５１２では、設定変更画面の最新の測定結果情報を公開するか、過去の測定結果情報を公開するかの選択欄において、「過去」を選択することで過去の測定値の公開を指定する（図１５参照）。又、本実施例では、「過去」の選択欄の横に表示される入力欄に最新から遡る期間（分、時、日、月など）を入力する。図１５に示す例では、分、時、日、月の単位はプルダウンメニューから選択できるようになっている。但し、この期間は固定値とされていてもよい。
更に、本実施例では、設定変更画面の最新から遡る期間の入力欄の横に、過去の測定値情報の処理方法の選択欄が設けられており、最新から遡るように設定した一定期間における、測定値情報の平均化処理、最大値・最小値選択処理、いずれかの生データ（例えば期間の最初又は最後の生データ）をそのまま使用することなどを選択できるようになっている。図１５に示す例では、これらの処理方法はプルダウンメニューから選択するようになっている。
例えば、最新から遡る期間が１時間に設定され、処理方法として平均化処理、又は最大値・最小値選択処理が選択された場合、サービス提供サーバ２０１は、最新に対して１時間前までの平均値、又は１時間前までの間の最大値若しくは最小値を表示するための表示情報を逐次に演算により求め、表示情報を記憶するためにハードディスク２１２内に確保された所定の領域に逐次に更新して記憶させる。一方、例えば、生データを使用することが選択された場合は、サービス提供サーバ２０１は、最新に対して１時間前の測定値情報の生データを表示するための表示情報を、ハードディスク２１２内に確保された上記所定の領域に逐次に更新して記憶させる。
本実施例では、上述の現実の端子１１２による最新の測定結果情報の公開においては、常に、最新の測定値情報の生データに基づく測定結果情報を公開することになる。これに対して、仮想端子による過去の測定結果情報の公開においては、仮想端子の基礎となる現実の端子１１２による過去の測定値情報に対して平均化処理などの所定の処理を施した後の測定結果情報を公開することができる。これにより、例えば、過去の一定期間の平均値と現在の値との比較など、最新の測定結果情報と、過去の処理後の測定結果情報とを比較できるように公開することができて好都合である。
又、図６のＳ４０８と同様のＳ５０３では、測定者が表示された一覧から仮想端子の基礎としたい現実の端子１１２の名称の表示を押下すると、ブラウザは当該端子１１２を基礎とした仮想端子を公開データ一覧に追加する要求をサービス提供サーバ２０１に送信する。そして、図６のＳ４０９と同様のＳ５０４では、サービス提供サーバ２０１は、上記要求を受信すると、当該端子１１２を基礎とする仮想端子を公開データ一覧に加えて当該仮想端子の公開設定を可能とする情報をハードディスク２１２内の所定の記憶領域（設定値データベース）に登録する。この時、サービス提供サーバ２０１が、仮想端子に自動で名称（現実の端子の名称に枝番を付したものなど）を付与するようにしたり、手動で入力するようにしたりしてもよい。そして、図５の４１０と同様のＳ５０５では、サービス提供サーバ２０１は、仮想端子の欄が追加された公開データ一覧を表示する更新された公開設定画面（図１６参照）の画面データを測定者のＰＣ１０４に送信する。
又、図６のＳ４１５と同様のＳ５１０では、サービス提供サーバ２０１は、設定変更画面の表示要求を受信すると、過去の測定結果情報を、測定者が開設しているホームページやブログに動的にリンクするための情報であるスクリプト情報（ブログパーツ，タグ）を生成する。そして、図６のＳ４１６と同様のＳ５１１では、サービス提供サーバ２０１は、テキストボックスＤ１内に上記スクリプト情報が表示された、上記図１５と同様の設定変更画面を表示する画面データを測定者のＰＣ１０４に送信する。本実施例では、前述のように、上記スクリプト情報が貼り付けられたウェブページを閲覧するブラウザ上で測定結果情報がイメージデータとして表示されるようになっている。
尚、ここでは仮想端子に係る公開設定処理を図６の処理の続きとして説明したが、図６のＳ４０６〜Ｓ４１８を省いて、仮想端子に係る公開設定処理のみを行うことも当然可能である。又、最新の測定結果情報を公開せずに、仮想端子による過去の測定結果情報の公開のみを行うこともできる。
（４−３）チャートの公開
次に、チャートの公開設定処理について説明する。図８は、当該処理の一例を示すシーケンス図である。
ここでは、図６、図７の処理に続いて、チャートの公開設定処理をする場合について説明する。
図７のＳ５１２の処理において設定変更の登録を指示した後、ブラウザによって公開設定画面に戻ると、前述のように当該画面には、「チャートを追加」ボタンが表示されている（図１４参照）。
測定者が「チャートを追加」ボタンを押下すると、ブラウザはサービス提供サーバ２０１に既に登録されているチャート（図４の処理で設定を登録したもの）の一覧の表示要求をサービス提供サーバ２０１に送信する（Ｓ６０１）。サービス提供サーバ２０１は、チャートの一覧の表示要求を受信すると、当該一覧を表示する画面データを測定者のＰＣ１０４に送信する（Ｓ６０２）。測定者が表示された一覧から公開したいチャートの名称の表示を押下すると、ブラウザは当該チャートを公開データ一覧に追加する要求をサービス提供サーバ２０１に送信する（Ｓ６０３）。サービス提供サーバ２０１は、上記要求を受信すると、当該チャートを公開データ一覧に加えて当該チャートの公開設定を可能とする情報をハードディスク２１２内の所定の記憶領域（設定値データベース）に登録する（Ｓ６０４）。そして、サービス提供サーバ２０１は、公開可能なチャートの欄が追加された公開データ一覧を表示する更新された公開設定画面の画面データを測定者のＰＣ１０４に送信する（Ｓ６０５）。
次に、測定者が公開データ一覧中の追加したチャートの名称の横に表示された「非公開」表示を押下すると、ブラウザは当該チャートの公開要求をサービス提供サーバ２０１に送信する（Ｓ６０６）。サービス提供サーバ２０１は、当該公開要求を受信すると、本実施例では公開できるチャートの数が限定されるので、当該公開要求が現在許容されるかを確認する（Ｓ６０７）。又、サービス提供サーバ２０１は、公開要求が許容される場合には、サービス提供サーバ２０１が表示情報を逐次に作成し、更新して記憶する領域を、ハードディスク２１２内の測定値データベースに確保する。次に、サービス提供サーバ２０１は、上記「非公開」表示を「公開」表示に変更し、チャートの名称の横に新たに「設定変更」ボタンを表示する更新された公開設定画面（図１６参照）の画面データを測定者のＰＣ１０４に送信する（Ｓ６０８）。一方、サービス提供サーバ２０１は、公開要求が許容されない場合は、その旨を表示する更新された公開設定画面の画面データを測定者のＰＣ１０４に送信する。尚、公開できるチャートの数は限定されていなくてもよい。
次に、測定者が公開要求をしたチャートの名称の横に追加された「設定変更」ボタンを押下すると、ブラウザは、公開するチャートの表示態様などの詳細設定を変更するための設定変更画面の表示要求を、サービス提供サーバ２０１に送信する（Ｓ６０９）。サービス提供サーバ２０１は、設定変更画面の表示要求を受信すると、チャートを、測定者が開設しているホームページやブログに動的にリンクするための情報であるスクリプト情報（ブログパーツ，タグ）を生成する（Ｓ６１０）。そして、サービス提供サーバ２０１は、テキストボックス内に上記スクリプト情報が表示された、設定変更画面を表示する画面データを測定者のＰＣ１０４に送信する（Ｓ６１１）（図１７参照）。本実施例では、前述と同様、上記スクリプト情報が貼り付けられたウェブページを閲覧するブラウザ上でチャートがイメージデータとして表示されるようになっている。
尚、ブラウザによって表示される設定変更画面は、最新の測定結果と過去の測定結果情報とを含む複数の測定結果情報に基づくチャートを公開するか、最新の測定結果情報に対して所定期間だけ過去にシフトさせた複数の測定結果情報に基づくチャートを公開するかの選択欄、表示形式（表のみ、表とグラフなど）の選択欄、測定場所などの任意の付加文字の入力欄、表示書式（文字フォント・サイズ・色の選択欄、背景）の選択欄などを含んでいてもよい。ここで、上記設定変更画面で最新の測定結果と過去の測定結果情報とを含む複数の測定結果情報に基づくチャートを公開することが選択された場合には、ハードディスク２１２内に確保された上記所定の領域には、最新のチャートを表示するための表示情報が逐次に更新して記憶される。一方、上記設定変更画面で最新の測定結果情報に対して所定期間だけ過去にシフトさせた複数の測定結果情報に基づくチャートを公開することが選択された場合には、ハードディスク２１２内に確保された上記所定の領域には、最新のチャートに対して上記設定変更画面で指定された所定期間だけ過去のチャートを表示するための表示情報が逐次に更新して記憶される。上記スクリプト情報は、これらの表示情報が記憶された上記所定の記憶領域を指定するものである。
測定者が、設定変更画面中に必要な情報を入力して、「保存（或いは登録）」ボタンを押下すると、ブラウザは入力された情報をサービス提供サーバ２０１に送信する（Ｓ６１２）。
サービス提供サーバ２０１は、受信した設定内容を確認し、問題がなければ設定内容をハードディスク２１２内の所定の記憶領域（設定値データベース）に登録する（Ｓ６１３）。
尚、ここではチャートの公開設定を、図６、図７の処理の続きとして説明したが、図６のＳ４０６〜Ｓ４１８の処理、及び／又は図７の処理を省いて、チャートの公開設定に係る設定処理のみを行うことも当然可能である。
５．ウェブページへの公開
図９は、測定者が開設するウェブページ（ホームページやブログ）において、現実の端子１１２による最新の測定結果情報、仮想端子による過去の測定結果情報、又は最新の測定結果情報及び／又は過去の測定結果情報を示すグラフ及び／又は表であるチャートを公開する処理の一例のシーケンス図である。
ここでは、測定者が、インターネットプロバイダが管理するウェブサーバとされる情報公開サーバ４０１（図２）に測定結果情報を公開するためのウェブページを格納している場合を例に説明する。但し、情報公開サーバ４０１は、測定者自信が管理するものであってもよい。
例えば、図６のＳ４１４において、測定者がＰＣ１０４のブラウザ上で「設定変更」ボタンを押下することでサービス提供サーバ２０１に公開設定の変更を要求すると、図６のＳ４１５においてサービス提供サーバ２０１がスクリプト情報（ブログパーツ，タグ）を生成し、図６のＳ４１６において当該スクリプト情報を含む設定変更画面がブラウザ上に表示される。図７のＳ５０９、Ｓ５１０及びＳ５１１、或いは図８のＳ６０９、Ｓ６１０及びＳ６１１の各処理においても同様である。
測定者は、こうしてブラウザ上に表示された設定変更画面中のテキストボックス内に表示されたスクリプト情報を、ブラウザ上でコピーする（Ｓ７０１）。そして、測定者は、別途ブラウザで表示した、測定結果情報を公開するための自己のウェブページ上の所定の箇所に、上記コピーしたスクリプト情報を貼り付け、これを確定する指示を入力する。これにより、当該スクリプト情報を含むウェブページデータが情報公開サーバ４０１に送信される（Ｓ７０２）。情報公開サーバ４０１は、受信したスクリプト情報を含むウェブページデータを、ハードディスク４１２内の所定の領域（測定者に割り当てられたウェブコンテンツ保存領域）に格納する（Ｓ７０３）。
閲覧者が、閲覧者のＰＣ３０１のブラウザによって、情報公開サーバ４０１に開設された測定者のウェブページにアクセスすると、情報公開サーバ４０１から、スクリプト情報（ブログパーツ，タグ）が掲載されたウェブページデータが閲覧者のＰＣ３０１に送信される（Ｓ７０４）。閲覧者のＰＣ３０１のブラウザは、受信したウェブページデータを処理して表示するに際して、上記スクリプト情報に従って、サービス提供サーバ２０１に対し、上記スクリプト情報によって指定される測定結果情報の表示要求を送信する（Ｓ７０５）。より具体的には、上述のように、閲覧者のＰＣ３０１のブラウザは、スクリプト情報によって指定される、サービス提供サーバ２０１のハードディスク２１２内の所定の領域に逐次に更新されて記憶されている、測定結果情報を表示するための表示情報を読みに行く。即ち、閲覧者のＰＣ３０１のブラウザは、当該表示情報を送信することをサービス提供サーバ２０１に要求する。そして、サービス提供サーバ２０１は、上記スクリプト情報に従って送信を要求された測定結果情報を表示するための表示情報を、閲覧者のＰＣ３０１に送信する（Ｓ７０６）。これにより、閲覧者のＰＣ３０１のブラウザ上に表示された測定者のウェブページ上に当該測定結果情報が表示される。本実施例では、この表示情報は、サービス提供サーバ２０１において、前述の公開設定処理によって設定されている所定の書式等に従ってイメージデータとして逐次に生成され記憶されているものである。
このようにして、測定者がサービス提供サーバ２０１において測定結果情報を公開する設定を行い、自己のウェブページ上に当該公開するデータを動的にリンクさせるスクリプト情報を関係付けることによって、閲覧者が当該ウェブページにアクセスする度に、動的にリンクされている測定結果情報が逐次に更新されて表示される。公開する測定結果情報は、現実の端子１１２による最新の測定結果情報、仮想端子による過去の測定結果情報、及びチャートの全て又はこれらのうち少なくとも１つであってよい。
例えば、図２１は、測定者が自己のホームページにおいて最新の温泉の温度と、前日の同時刻の温泉の温度を公開する画面表示の一例を示す。又、図２２は、更に最新の温泉の温度を含む最近の所定期間内の温泉の温度変化を示すチャートをも掲載した画面表示の一例を示す。閲覧者は、温泉の温度の近時の変動から温泉の状態を感得することができる。又、現地の最新の気温と過去（例えば前日）の気温（更には近時の気温変動を示すチャート）を公開するような場合には、閲覧者は現地の気温変化を予測などすることもできる。
尚、本実施例では、温泉の温度を測定し、公開する場合を例に説明したが、本発明はこれに何ら限定されるものではない。前述のような各種の測定機器を用いることによって、種々の測定対象の測定結果情報を公開することができる。
以上説明したように、本実施例の情報表示方法を具現するサービス提供サーバ２０１は、測定者が管理する変換器１０２から送信される測定値情報を受信する測定値情報受信手段を有する。本実施例では、ネットワークインターフェース２１４、ＣＰＵ２１１が、この測定値情報受信手段として機能する。又、サービス提供サーバ２０１は、測定値情報受信手段によって受信された測定値情報を経時的に記録する測定値情報記録手段を有する。本実施例では、ハードディスク２１２が、この測定値情報記録手段として機能する。又、サービス提供サーバ２０１は、表示要求情報を受信する表示要求情報受信手段を有する。この表示要求情報は、測定値情報記録手段によって経時的に記録された測定値情報のうち最新の測定値情報及び／又は過去の測定値情報に基づき測定結果情報を閲覧者の端末機器３０１において表示するための表示情報を送信することを要求する。本実施例では、ネットワークインターフェース２１４、ＣＰＵ２１１が、この表示要求情報受信手段として機能する。又、サービス提供サーバ２０１は、表示要求情報受信手段によって受信された表示要求情報に応じて表示情報を送信する表示情報送信手段を有する。本実施例では、ネットワークインターフェース２１４、ＣＰＵ２１１が、この表示情報送信手段として機能する。本実施例では、上記表示要求情報受信手段は、測定者が測定機器１０１の測定結果情報を公開するための公開画面（ウェブページ）に係る公開画面情報（ウェブコンテンツデータ）を格納した情報公開サーバ４０１から、公開画面情報が閲覧者の端末機器３０１に送信されることによって、表示要求情報を受信するようになっている。又、上記表示情報送信手段は、公開画面情報が送信された閲覧者の端末機器３０１に、表示情報を送信する。
更に、本実施例では、サービス提供サーバ２０１は、測定者の端末機器１０４から受信した要求（公開設定における設定変更画面の送信要求）に応じて、測定者が公開画面情報と関係付けて情報公開サーバ４０１に格納する表示要求発生情報（スクリプト情報）を生成する表示要求発生情報生成手段を有する。この表示要求発生情報は、公開画面情報が閲覧者の端末機器３０１に送信されることによって、表示要求情報がサービス提供サーバ２０１に送信されて、サービス提供サーバが表示情報を閲覧者の端末機器３０１に送信することを可能とするものである。本実施例では、ＣＰＵ２１１が、この表示要求発生情報生成手段の機能を達成する。又、サービス提供サーバ２０１は、表示要求発生情報生成手段によって生成された表示要求発生情報を、測定者の端末機器１０４に送信する表示要求発生情報送信手段を有する。本実施例では、ネットワークインターフェース２１４、ＣＰＵ２１１が、この表示要求発生情報送信手段として機能する。
尚、本実施例では、ＣＰＵ２１１は、測定結果情報を表示するための表示情報としてイメージデータを生成する表示情報生成手段としての機能を達成する。
サービス提供サーバ２０１のＣＰＵ２１１は、ハードディスク２１２に記憶されたプログラム、データに従って演算処理することによって、上記各手段としての機能を達成する。
以上のように、本実施例によれば、専用の回線などを用いた大がかりな測定システムを用いることなく、測定者の管理する測定機器による測定結果を示す測定結果情報を、簡易、低コストにて、蓄積し、逐次に更新して一般に公開することができる。即ち、測定者は、特別なソフトウェアなどを用いることなく、一般的なブラウザを用いることによって、情報表示サービスの提供を受けることができる。又、測定者は、測定結果情報の保守、管理、更には測定結果情報を記録する記録媒体などの装置自体の保守、管理などに手間やコストをかける必要はない。又、測定者は、測定結果情報を蓄積し、処理する作業を手動で行う必要はなく、更に測定結果情報を逐次に更新して公開するために当該情報を情報公開サーバに逐次に格納するような作業を別途行う必要もない。
【実施例２】
【００１０】
次に、本発明に係る他の実施例について説明する。本実施例において、実施例１のものと同一又はそれに相当する機能、構成を有する要素には同一の符号を付して詳しい説明は省略する。
実施例１では、測定結果情報を表示するための表示情報は、イメージデータとして公開されるものとしたが、本発明はこれに限定されるものではない。測定結果情報を表示するための表示情報は、測定値情報に基づく文字コードデータ（テキストデータ）として公開することもできる。
サービス提供サーバ２０１が、測定結果情報を表示するための表示情報をテキストデータで提供することによって、測定者側で測定結果情報を公開するウェブページを構築する際に、当該テキストデータを用いて任意の演算を行わせた結果を、測定結果情報として公開することが可能となる。勿論、当該テキストデータが示す測定結果情報をウェブページでそのまま表示することもできる。測定者側でウェブページに組み込む、サービス提供サーバ２０１から提供された表示情報を処理するプログラムは、ＪＡＶＡＳＣＲＩＰＴなどの任意の適当なプログラム言語によって作成することができる。
例えば、温度計の複数の端子により測定された屋外の温度と屋内の温度との温度差から、断熱効率を計算したり、空調に要する電気代などを求めたりして、これを公開するような場合を考える。この場合、測定者側で、ウェブページにＪＡＶＡＳＣＲＩＰＴなどの任意の適当なプログラム言語によって、当該断熱効率や電気代を計算する演算式、演算結果の表示方法・態様・書式などの指定をすることができる。そして、そして当該演算に必要な温度計による測定結果情報として、サービス提供サーバ２０１から表示情報として送信されるテキストデータを用いることをプログラムすることができる。これにより、そのウェブページを閲覧する閲覧者のＰＣ３０１のブラウザ上には、測定者側でウェブページに組み込んだプログラムによって、サービス提供サーバ２０１から送信された表示情報が処理された後の結果である、断熱効率や電気代などが、所定の表示方法・態様・書式にて表示される。
本実施例においてテキストデータを公開するための公開設定は、実施例１において説明したイメージデータを公開するための公開設定と概略同様であるが、公開設定処理における設定変更画面、及び当該画面による設定処理が異なる。
図１８は、本実施例による、現実の端子１１２による最新の測定結果情報、又は仮想端子による過去の測定結果情報の公開設定処理における設定変更画面の一例を示す。この設定変更画面は、実施例１にて説明した図６のＳ４１６、図７のＳ５１１において測定者のＰＣ１０４のブラウザ上に表示される、図１５の設定変更画面の替わりに表示されるものである。本実施例では、測定値情報に基づくテキストデータを公開する型式として、斯界にて公知のＪＳＯＮ型式を用いている。ＪＳＯＮ型式によれば、測定結果情報を表示するための表示情報は、コンピュータが解読して演算処理に使用することのできるデータとして公開することができる。
本実施例では、設定変更画面には、イメージデータを公開するか、テキストデータを公開するかを選択するための、公開方法の選択欄が設けられている。そして、設定変更画面において「画像」を選択した場合は、実施例１の処理と同様となる（図１８）。
一方、設定画面において「ＪＳＯＮ型式」を選択すると、或いは選択した後「保存（或いは登録）」ボタンを押下すると、測定者のＰＣ１０４のブラウザは更新された設定変更画面の送信要求をサービス提供サーバ２０１に送信し、それによって図１９に示すような更新された設定変更画面が測定者のＰＣ１０４に送信されてブラウザ上で表示される。この画面には、イメージデータの公開の場合に設けられていた表示形式、書式などの欄は設けられていない。又、イメージデータの公開の場合と同様、当該設定変更画面のテキストボックス内には、測定者側でウェブページの構築の際に用いるスクリプト情報（データ取得用ＵＲＬ情報）が表示される。この情報は、イメージデータの公開の場合と同様、サービス提供サーバ２０１がＪＳＯＮ型式にて公開すべきテキストデータを含む表示情報を逐次に更新して記憶している、サービス提供サーバ２０１のハードディスク２１２の所定の領域を指定するものである。尚、上記設定変更画面で最新の測定結果情報を公開することが選択された場合、ハードディスク２１２内に確保された上記所定の領域には、最新の測定結果情報（本実施例では、測定値情報の生データであるが、平均化処理、最大値・最小値選択処理などの所定の処理がされた測定値情報の代表値であってもよい。）を表示するための表示情報が、逐次に更新して記憶されている。一方、上記設定変更画面で過去の測定結果情報を公開することが選択された場合、ハードディスク２１２内に確保された上記所定の領域には、過去の測定結果情報（過去の測定値情報の生データ、或いは平均化処理、最大値・最小値選択処理などの所定の処理がされた過去の測定値情報の代表値）を表示するための表示情報が、逐次に更新して記憶される。例えば、設定変更画面（図１９）のテキストボックスＤ１内に表示されるスクリプト情報は、次のようなものである。
【数３】
2010123044.tif 000005
又、図２０は、本実施例による、チャートの公開設定処理における設定変更画面の一例を示す。この設定変更画面は、実施例１にて説明した図８のＳ６１１において測定者のＰＣ１０４のブラウザ上に表示される、図１７の設定変更画面の替わりに表示されるものである。尚、同図は、その設定変更画面上の、公開方法の選択欄の「ＪＳＯＮ型式」を選択したことによって表示されるものを示している。「画像」を選択した場合は、公開方法の選択欄が設けられていることを除いて、図１７のものと同様なので図示は省略する。
本実施例では、チャートの公開をテキストデータによって行う場合、一群のテキストデータで構成されたテーブルデータを、斯界にて公知のＪＳＯＮ型式によって公開する。この一群のテキストデータは、図８のＳ６０３と同様の処理により公開することを選択したチャートを構成する複数のプロットに係る測定結果情報から成る。例えば、サービス提供サーバ２０１は、最新から最大プロット数の範囲の過去までの範囲の日時と温度との複数のテキストデータの組み合わせから成るテーブルデータを、表示情報としてまとめて送信することができる。テーブルデータを構成する複数のテキストデータは、測定者側が構築するウェブページにおいて、任意の演算処理を施した一群のデータによる表やグラフを表示するなどの１つの目的のために総合して用いられてもよいし、それぞれのテキストデータが複数の目的に別個に用いられてもよい。
チャートのイメージデータの公開の場合と同様、当該設定変更画面のテキストボックス内には、測定者側でウェブページの構築の際に用いるスクリプト情報（データ取得用ＵＲＬ情報）が表示される。この情報は、イメージデータの公開の場合と同様、サービス提供サーバ２０１がＪＳＯＮ型式にて公開すべきテーブルデータを含む表示情報を逐次に更新して記憶している、サービス提供サーバ２０１のハードディスク２１２の所定の領域を指定するものである。尚、チャートのイメージデータの公開の場合と同様、ブラウザによって表示される設定変更画面は、最新の測定結果と過去の測定結果情報とを含む複数の測定結果情報に基づくチャートのテキストデータを公開するか、最新の測定結果情報に対して所定期間だけ過去にシフトさせた複数の測定結果情報に基づくチャートのテキストデータを公開するかの選択欄を含んでいてもよい。ここで、上記設定変更画面で最新の測定結果と過去の測定結果情報とを含む複数の測定結果情報に基づくチャートのテキストデータを公開することが選択された場合には、ハードディスク２１２内に確保された上記所定の領域には、最新のチャートのテキストデータを含む表示情報（最新の測定結果情報と過去の測定結果情報から成るプロット群に係る一群のテキストデータ（テーブルデータ））が逐次に更新して記憶される。一方、上記設定変更画面で最新の測定結果情報に対して所定期間だけ過去にシフトさせた複数の測定結果情報に基づくチャートのテキストデータを公開することが選択された場合には、ハードディスク２１２内に確保された上記所定の領域には、最新のチャートに対して上記設定変更画面で指定された所定期間だけ過去のチャートのテキストデータを含む表示情報（過去の測定結果情報から成るプロット群に係る一群のテキストデータ（テーブルデータ））が逐次に更新して記憶される。例えば、設定変更画面（図２０）のテキストボックスＤ１内に表示されるスクリプト情報は、次のようなものである。
【数４】
2010123044.tif 000006
本実施例では、表示情報送信手段としてのサービス提供サーバ２０１のネットワークインターフェース２１４は、テキストデータ（或いはテキストデータで構成されたテーブルデータ）を含む表示情報を送信するようになっている。
以上、本実施例によれば、実施例１と同様の効果を達成し得ると共に、測定者側での測定結果情報の公開態様の自由度が増すという利点がある。
【実施例３】
【００１１】
次に、本発明に係る他の実施例について説明する。本実施例において、実施例１、２のものと同一又はそれに相当する機能、構成を有する要素には同一の符号を付して詳しい説明は省略する。
実施例２では、サービス提供サーバ２０１は、測定結果情報を公開するための表示情報として、記録された測定値情報に基づくテキストデータを送信した。実施例２では、この表示情報は、最新の前記測定結果情報を示すテキストデータ、最新に対して所定時間だけ過去の測定結果情報を示すテキストデータ、又は最新の測定結果及び／又は最新に対して所定時間だけ過去の測定結果情報を示すテキストデータで構成されるテーブルデータであった。
これに対して、本実施例では、サービス提供サーバ２０１は、所定の条件に合致する測定結果情報を抽出して公開することを可能とする抽出公開設定機能を有する。
図２３は、抽出公開設定処理における設定変更画面の一例を示す。この設定変更画面は、図６のＳ４０１〜Ｓ４０５と同様の処理によって、測定者が抽出公開設定画面の表示要求をサービス提供サーバ２０１に送信すると、測定者のＰＣ１０４のブラウザ上に表示される。
抽出公開設定画面には、例えば、サービス提供サーバ２０１に既に登録されている端子１１２の一覧が表示されている。この端子１１２の一覧の端子名と関係付けて、抽出公開に用いる測定結果情報のソースとなる端子１１２を選択するための選択欄（チェックボックスなど）が設けられている。又、端子１１２の一覧の端子名と関係付けて、測定値情報の生データの前処理（平均化処理、最大値・最小値選択処理、いずれかの生データ（例えば期間の最初又は最後の生データ）をそのまま使用することなど）の選択欄が設けられている。更に、抽出公開設定画面には、各端子１１２の測定値情報を集計する期間（１５分、時、日、月など）である集計単位を設定する欄が設けられている。
そして、抽出公開設定画面には、所定の条件に合致する測定結果情報を公開するための抽出条件を設定する欄が設けられている。抽出条件設定欄には、新たに１つの条件を設けるための条件選択欄（チェックボックスなど）が設けられている。又、当該条件選択欄に関係付けられて、端子指定欄と、条件式欄と、値入力欄と、が設けられている。端子指定欄は、上記端子１１２の一覧で選択した端子名がプルダウンメニューで選択できるようになっている。又、条件式欄は、「＞（より大きい）」、「≧（以上）」、「＜＞（範囲内に入らない）」、「＜（より小さい）」、「≦（以下）」、「Ｎｏｔ＜＞（範囲内に入る）」、「＝（等しい）」のいずれかの条件式をプルダウンメニューで選択できるようになっている。又、値入力欄には任意の数値を入力できるようになっている。ここで、値入力欄の変わりに上記端子指定欄と同様の端子指定欄を表示できるようにして、指定された端子の測定結果情報を固定値と比較する替わりに、指定された端子間の測定結果情報同士を比較できるようにしてもよい。更に、各条件間の論理積又は論理和の論理演算を指定するＡＮＤ／ＯＲ欄（ラジオボックス）が設けられている（図中ＡＮＤ／ＯＲ欄と同行で指定された条件と直上の条件との論理演算を指定する）。
尚、抽出公開画面において、抽出公開に用い得る測定値情報の取得日時（測定日時）の期間を限定できるようにしてもよい。この期間は、ある年月日から他の年月日までとする固定の期間であってもよいし、例えば最新の測定値情報の日時から一定期間さかのぼった期間とする動的な期間であってもよい。又、このように抽出公開に用い得る測定日時を設定できるようにすることにより、上述のような測定結果情報の数値の大小関係の条件を設定せずに、特定の測定日時又は特定の測定日時期間内の測定結果情報を抽出することもできる。
例えば、図２３に示すように、抽出公開設定画面において、端子１１２として温度計である「端子１」と、湿度計である「端子２」とを選択する。又、測定値情報の生データの前処理として「平均化」を選択する。又、集計期間として「日」を選択する。又、抽出条件として、「端子１」が「１０（℃）より高い」（条件式「＞」、値「１０（℃）」）、且つ、「端子２」が「３０（％）より高い」（条件式「＞」、値「３０（％）」）を選択する。そして、「保存（或いは登録）」ボタンを押下すると、サービス提供サーバ２０１は、当該「端子１」、「端子２」の測定値情報の抽出公開を可能とする諸設定の情報を、ハードディスク２１２内の所定の領域（設定値データベース）に登録する。又、このときサービス提供サーバ２０１は、各端子の測定値情報を設定された集計期間（ここでは「日」）毎に、設定された前処理（ここでは「平均化」）を施した集計データを逐次に格納する領域をハードディスク２１２内の所定の領域（測定値データベース）に確保する。
又、実施例１、２における公開設定と同様に、抽出公開設定画面のテキストボックス内には、測定者側でウェブページの構築の際に用いるスクリプト情報（取得用ＵＲＬ）が表示される。このスクリプト情報は、実施例１、２と同様に、先ず、サービス提供サーバ２０１が抽出公開すべき集計データを逐次に格納している、サービス提供サーバ２０１のハードディスク２１２の所定の領域を指定する情報（記憶領域指定情報）を含んでいる。又、本実施例では、このスクリプト情報（取得用ＵＲＬ）は、更に、上述のようにして設定された所定の条件に合致する測定結果情報を抽出して公開するための、当該条件を示す抽出条件情報を含んでいる。尚、抽出公開設定画面で、抽出公開に用いる測定結果情報のソースとなる端子１１２を選択することによって、当該抽出公開設定機能において設定可能な全ての集計単位毎に、設定可能な全ての前処理方法を施した集計データを、それぞれハードディスク２１２内の所定の領域（測定値データベース）に逐次に記憶させていってもよい。例えば、当該抽出公開設定機能において、「日」、「月」のいずれか集計単位で集計された、測定値情報の平均値、最小値、最大値、生データのいずれかの集計データから抽出して公開できる場合には、１「日」毎に集計した、平均値、最小値、最大値、生データ（例えば、期間の最初又は最後の値）の全てを上記所定の領域に逐次に記憶させていくと共に、１「月」毎に集計した、平均値、最小値、最大値、生データ（例えば、期間の最初又は最後の値）の全てを別途上記所定の領域に逐次に記憶させていく。この場合、スクリプト情報は、上記所定の領域を指定する情報として、特に、上記所定の領域に逐次に記憶されている集計データのうち、設定された集計単位毎に設定された前処理をして集計されている集計データを指定する情報を含んでいる。例えば、抽出公開設定画面（図２３）のテキストボックス内に表示されるスクリプト情報（取得用ＵＲＬ）は、次のようなものである。本実施例では、この取得用ＵＲＬは、符号化された記憶領域指定情報と抽出条件情報とを含んでいる。
【数５】
2010123044.tif 000007
当該スクリプト情報が組み込まれたウェブページが閲覧されると、当該スクリプト情報によって指定される測定結果情報の表示要求がサービス提供サーバ２０１に送信される。この表示要求情報は、所定の条件に合致する測定結果情報を表示するための表示情報を要求する抽出条件情報を含んでいる。これにより、この表示要求情報を受信したサービス提供サーバ２０１のＣＰＵ２１１は、上述のようにサービス提供サーバ２０１のハードディスク２１２の上記所定の領域に逐次に格納されている集計データから、当該抽出条件情報の示す所定の条件に合致する測定結果情報を表示するための表示情報を抽出する。この表示情報は、単数の測定結果情報のテキストデータであってもよいし、複数の測定結果情報のテキストデータで構成されたテーブルデータであってもよい。そして、サービス提供サーバ２０１は、この表示情報を、閲覧者のＰＣ３０１のブラウザに送信する。
このような抽出公開設定機能によれば、測定者側で測定結果情報を公開するウェブページを構築する際に、サービス提供サーバ２０１から送信される所定の条件に合致する測定結果情報を示すテキストデータのみを用いて任意の演算を行わせた結果をウェブページ上に表示したり、或いはそのテキストデータが示す測定結果情報をそのままウェブページ上に表示するようにしたりできる。例えば、測定者がスキー場の管理者であり、人工雪の生成に適した所定条件の温度及び湿度であった日数が過去１ヶ月間に何日あったかを、当該測定者の開設するウェブページ上で逐次に公開する場合を考える。この場合、測定者は、抽出公開設定画面において温度が所定値以下で、且つ、湿度が所定値以下の条件に合致する測定結果情報を抽出して公開するように設定する。そして、この抽出された測定結果情報から日数を算出して表示するようにウェブページをプログラムする。
又、任意に、上述のような符号化された記憶領域指定情報と抽出条件情報とを含む取得用ＵＲＬに加えて又は替えて、スクリプト情報として、抽出公開設定画面のテキストボックス内に、設定した抽出条件を人間が認識できる形式で表した部分を有するスクリプト情報（条件式用ＵＲＬ）を表示させることができる。例えば、抽出公開設定画面（図２３）のテキストボックス内に表示されるスクリプト情報（条件式用ＵＲＬ）は、次のようなものである。本実施例では、このスクリプト情報（条件式用ＵＲＬ）は、上述の取得用ＵＲＬと同じ符号化された記憶領域指定情報と抽出条件情報とを含んでいる。そして、このスクリプト情報（条件式用ＵＲＬ）は、更に、上述の取得用ＵＲＬの符号化された抽出条件情報が示す抽出条件を上書きする抽出条件を、人間が認識できる形式で表した部分（上書き条件部分）を有する。
【数６】
2010123044.tif 000008
上記条件式用ＵＲＬの一例は、上記取得用ＵＲＬの一例と同様の部分に加えて、「端子１」の「平均値（ａｖｅ）」が「１０（℃）より高い（条件式「＞」、値「１０（℃）」）」、且つ、「端子２」の「平均値（ａｖｅ）」が「３０（％）より高い（条件式「＞」、値「３０（％）」）」という抽出条件を人間が認識できる形式で表した部分（上書き条件部分）を有する。本実施例では、サービス提供サーバ２０１のＣＰＵ２１１は、抽出条件としてこの上書き条件部分が示す抽出条件を優先して適用するようになっている。従って、測定者は、上述のようにして取得した条件式用ＵＲＬを参考にして、例えば、上書き条件部分における「値の部分」である「１０（℃）」、「３０（％）」や、「条件式の部分」である「＞」などを書き換えることで、例えば、ウェブページを構築する際に抽出条件を変更することができる。尚、条件式用ＵＲＬは、上書き条件部分として、上述のような「値の部分」や「条件式の部分」に加えて又はこれに替えて、「抽出公開に用い得る測定値情報の取得日時（測定日時）の期間の条件を指定する部分」を有していてもよい。
又、測定者は、上述のようにして取得した条件式用ＵＲＬを参考にして、例えば、上書き条件部分における値の部分である「１０（℃）」、「３０（％）」や、「条件式の部分」である「＞」を、ウェブページ上で任意に書き換えられるようにプログラムすることができる。これにより、閲覧者がそのウェブページ上で抽出条件を任意に入力することができ、その抽出条件に合致する測定結果情報に基づいた表示を当該ウェブページ上で行うことができる。尚、測定者は、条件式用ＵＲＬの上書き条件部分として、「抽出公開に用い得る測定値情報の取得日時（測定日時）の期間の条件を指定する部分」を設け、ウェブページ上で任意に指定できるようにプログラムすることができる。これにより、閲覧者がそのウェブページ上で任意の日時又は任意の日時期間の条件を入力することができ、その条件に合致する測定結果情報に基づいた表示を当該ウェブページ上で行うことができる。
以上、本実施例によれば、実施例１、２と同様の効果を達成し得ると共に、蓄積した測定結果情報から、測定者や閲覧者が指定する抽出条件に合致するものを抽出して公開することができるので、公開態様の自由度が更に増すという利点がある。
【符号の説明】
【００１２】
１        情報表示システム
１０１    測定機器
１１２    センサ部（端子）
１０４    測定者のパーソナルコンピュータ
２０１    サービス提供サーバ
３０１    閲覧者のパーソナルコンピュータ
４０１    情報公開サーバ
【図１】
2010123044.tif 000009
【図２】
2010123044.tif 000010
【図３】
2010123044.tif 000011
【図４】
2010123044.tif 000012
【図５】
2010123044.tif 000013
【図６】
2010123044.tif 000014
【図７】
2010123044.tif 000015
【図８】
2010123044.tif 000016
【図９】
2010123044.tif 000017
【図１０】
2010123044.tif 000018
【図１１】
2010123044.tif 000019
【図１２】
2010123044.tif 000020
【図１３】
2010123044.tif 000021
【図１４】
2010123044.tif 000022
【図１５】
2010123044.tif 000023
【図１６】
2010123044.tif 000024
【図１７】
2010123044.tif 000025
【図１８】
2010123044.tif 000026
【図１９】
2010123044.tif 000027
【図２０】
2010123044.tif 000028
【図２１】
2010123044.tif 000029
【図２２】
2010123044.tif 000030
【図２３】
2010123044.tif 000031
【国際調査報告】
2010123044.tif 000032
2010123044.tif 000033
2010123044.tif 000034
2010123044.tif 000035